(57)【要約】【課題】  夏季などにおいて涼しく生活できるとともにネクタイを締めたり外したりする手間が要らずさらに作業等の邪魔にもならないワイシャツを提供すること。【解決手段】  前身頃におけるネクタイが下げられる個所に対応する生地部分に所望のネクタイ意匠を直接施してなる。また、このものにおいて、ネクタイ意匠部分に対応する生地部分に通気口を開けてなる。さらに、衿台部分に通気口を開けてなる。【選択図】  図１
2006009223.tif 000002
【特許請求の範囲】
【請求項１】
前身頃におけるネクタイが下げられる個所に対応する生地部分に所望のネクタイ意匠を直接施してなるワイシャツ。
【請求項２】
請求項１記載のものにおいて、ネクタイ意匠部分に対応する生地部分に通気口を開けてなるワイシャツ。
【請求項３】
請求項１または２に記載のものにおいて、衿台部分に通気口を開けてなるワイシャツ。
【発明の詳細な説明】
【技術分野】
【０００１】  本発明は、ワイシャツに関する。
【背景技術】
【０００２】  ワイシャツにはネクタイを装着するのが通例であるが、ネクタイを装着すると夏季に暑くまた作業の邪魔になることも多々ある。
【発明の開示】
【発明が解決しようとする課題】
【０００３】  しかし、これまでは、夏季用のネクタイにしたりネクタイがワイシャツから離れないようにしたりしているが、上記問題を解消できない。
【課題を解決するための手段】
【０００４】  上記課題を解決するため、請求項１記載の発明は、前身頃におけるネクタイが下げられる個所に対応する生地部分に所望のネクタイ意匠を直接施してなる。
請求項２記載の発明は、請求項１記載のものにおいて、ネクタイ意匠部分に対応する生地部分に通気口を開けてなる。
請求項３記載の発明は、請求項１または２に記載のものにおいて、衿台部分に通気口を開けてなる。
【発明の効果】
【０００５】  本発明によれば、夏季などにおいて涼しく生活できるとともにネクタイを締めたり外したりする手間が要らずさらに作業等の邪魔にもならないワイシャツを提供することができる。
【発明を実施するための最良の形態・実施例】
【０００６】  図１は、本発明に係るワイシャツの一実施形態を示す。図に示すように、１は前身頃でボタン２のある側とボタンホール３のある側とでなっている。
【０００７】  この前身頃１のネクタイが下げられる個所に対応して所望のネクタイ意匠５がプリント仕上げされている。このネクタイ意匠５は左右のもので１つの意匠を構成する。同ネクタイ意匠５の施された個所には複数の通気口６…が適所に開けられて通気可能になっている。通気口６の孔は貫通しているが、その孔内には麻地などの通気容易質の生地を当て備えてもよい。
【０００８】  ネクタイ意匠５は、図示の意匠に限定されず、形もこれに限らない。また、意匠としては山や海などの自然景観その他をプリントしてもよい。意匠によっては、ボタン２に色づけをすることもある。
【０００９】  尚、同図に示すように、衿台７にも通気口８を開けてもよい。衿台７の回りには、従来のようにネクタイが巻き付けられず衿との間が隙間となっているので、通気口８からは熱気などが放散しやすい。また、衿元もネクタイで縛られず開放状となっているので、そこからも熱気などが放散しやすい。衿台７の回りの衿９は特に麻などの通気質の生地を使用して熱気などの放散を助けるようにしてもよい。さらに、衿９と衿台７との間に積極的に隙間を形成するようにスペーサを挟むようにしてもよい。このスペーサは衿９か衿台７の一方に装着する。
【００１０】  また、ポケット１０の内裏地の部分にも通気口１１を開けておいてもよい。１２は通し孔で、下端をズボンに止めた吊りバンド１３を下外部から内上方へ向けて通すようにしたものであるが、この場合の通し孔１２も通気口の役目を果たす。
【００１１】  図２の実施形態は、ボタン２をスポンジやゴム質の浮かせ片１５を介して共に止め付けてボタンホール３にボタン２を掛け止めることでボタン２側の前身頃１に対しボタンホール３側の前身頃１の方が少し前に浮いた状態とさせることで、そこが通気隙間になって熱気などの放散になるようにしたものである。尚、図示では１個所を示したが、上下全てのボタン２のある個所に構成することができる。
【００１２】  図３から図９までの実施形態は、地震や津波、洪水や火災などの非常事態に遭遇することを考慮して前以って記念すべき財産や衣類や寝具、食料などの緊急生活物資などを「緊急（非常）用トランカー（コンテナー）」、「緊急（非常）用保管パック」、「安心保管パック（コンテナ）」、「安心パック（コンテナ）」、「安全保管コンテナ」、「保全パック（コンテナ）」や「災害時自助（セルフ）トランク」、「災害セルフパック」、「自衛パック」などと称される保管ボックスを、自宅あるいは企業場所から離れた安全で広い高台等に設置して管理したり合併で空く役所の空き地や所内、屋上などに設置したりして非常時にそこに行けばいつでも保管品を有効利用できるようにしたものである。
【００１３】  図３の実施形態は、小型のコンテナ本体１８を直方体で完全水密状のボックスとして形成し、同本体１８の底部に基台１９を備えるとともに、同本体１８の一側を開閉戸２０にして閉めるとパッキン２１で水密状となり開けるとその奥内に保管内ボックス２２をローラー２３などで収納できるようにしてある。ボックス２２は、ロック片２４により本体１８に固定・取り外し可能にしてある。そして、本体１８の一惻には、水密式出入り扉２５や換気口部２６を備えてある一方、天井面には、採光部２７を開閉可能に備えてある。必要に応じて空調システムを付加することができる。尚、基台１９はウエイトを兼ねることもある。
基台１９は、リフトのフォークを差込可能な間隔に配備されている。
【００１４】  尚、図示のように、こうした保管コンテナ２８，２８を離間して設置しその間に床盤２９および天板３０を配備することで、臨時避難場所を提供することができる。保管コンテナ２８内では、内ボックス２２に保管している寝具を利用して就寝をとることができるし、保管された水や食料、調理用品などを使って食事をとることができる。
【００１５】  図４の実施形態は、左右に示す保管コンテナ３３，３３の間に避難生活空間３４を形成するための他の方法を示す。コンテナ３３には、上下に回転する床盤３５と天板３６が配備されており、これらを仮想線のように上下に開いて連結することで上下１枚ずつの床および天井を構成することができる。尚、３７は補強材である。また、コンテナ３３の手前の側面も回転により生活空間を密閉化するように構成することができる。
【００１６】  図５および図６の実施形態は、保管コンテナ４０の内部長手方向一側に保管部４１を構成し、他側に就寝部４２，４２を構成したものである。保管部４１は、カーテンや引き戸などにより開閉自在とし、それが上下２段に構成されている。保管部４１の外部は完全に密閉状になっている。就寝部４２へは上下各別の扉４３を開ければ入ることができ、閉めれば密閉状となるものである。寝具は保管部４１に常備してある。４４はタラップで、上階に登るためのもので１階の扉４３に備えてある。４５は換気部であり、同換気部４５それ自体が透明な採光可能なタイプであったり、天井面の一部を密閉状の採光部を構成したりすることができる。
尚、上記ではコンテナが一体型であったが、図６の右欄のように、保管部４１と就寝部４２とを別体で合体式としてもよい。就寝部４２を上下別体で合体式にしてもよい。
【００１７】  図７のように、保管パック４８を縦長置き式とし、これとは別体の就寝パック４９を連結可能に横置き式に配備してもよい。就寝パック４９は重ねて配備可能にしてもよい。
【００１８】  図８の実施形態は、保管パック（コンテナ・ボックス）５２に連結材５３を介してフロート５４付きのものとして津波や洪水で流されても沈んでしまうことがないように常に浮いてその所在が判るようにしたものである。フロート５４には、点滅などの発光体５５を付し、ソーラー５６で発光するようにしたり、所有者が判るように所有名や連絡先などを付しておく。連結材５３でフロート５４つきにしておくと、保管パック５２のみの場合に比し流される間にどこかに引っ掛かって遠方まで流されるおそれがなくなる。
【００１９】  図９の実施形態は、保管パック５９それ自体が保管部６０と完全密閉式のフロート部６１とからなり、発光部６２を備えてソーラー６３で位置を知らせるようにしたものである。発光部６２は揺動するものでもよい。また、パック５９には、連結材６４によりウエイト６５を附属して引っ掛かりやすく流れ難くしてある。右欄のようにウエイトと引っ掛かり機能をもつアンカー６６にしてもよい。尚、全体が発泡樹脂材でなる保管パックとしてもよい。
【００２０】  図１０の実施形態は、幹線流７０に支線流７１が交わる河川状態のものにおいて、幹線流７０での流れが勝る結果支線流７１から幹線流７０への流入が阻止される現象があり、その現象を解消するためになされたものである。７２はバイパス管で、その上流端は支線流７１の下流付近に埋設して配置し、上流端から下流側の殆どは幹線流７０の常流域の川底内に添って埋設してある。バイパス管７２の上端には、流入部７３を備えて障害避け７４によって流入部７３内に塵芥などが入り込まないように構成し、バイパス管７２の中途には逆流を防止するチェックバルブ７５を備えてある。バイパス管７２の下流端部には、右欄図のようにクランク状の導出管７６を装備して、幹線流７０の底から流れの中に臨むようにすることで、幹線流７０の流れによりバイパス管７２からの水が負圧で引き出されるように構成してある。
【００２１】  こうしたことにより、支線流７１内の水はバイパス管７２を通って幹線流７０内に導かれるのであり、逆流もチェックバルブ７５により阻止されるので確実に支線流７１の水が幹線流７０の方へ流れ込むのである。
【００２２】  尚、バイパス管７２の中途には、幹線流７０内に配した流入部７７を備えた補助管７８を連通させてバイパス管７２での流れを助長するようにしてもよい。また、支線流７１の下流より少し上流側からの水を導入して幹線流７０内に誘導するバイパス管７９を備えて対処してもよい。
【００２３】  図１１の実施形態は、支線流７１の下流端流水域から幹線流７０内の流水域まで湾曲状をなして水を制御しながら導く制御ガイド板８１を配備してもよい。このガイド板８１は１枚でもよいが図示のように２枚でもよい。尚、幹線流７０と支線流７１との交差部に、幹線流７０の方向へ突き出す誘導板８２を配して幹線流７０内の流れをそのまま支線流７１の下流域に流すのでなく幹線流７０の内方へと回避させるようにして支線流７１から流れを幹線流７０の内方へと流れ出るようにしてもよい。さらに、別の方式であるが、仮想線のように、幹線流７０の流れを支線流７１の方へ流量増加のために導く流量制御管８３を備えて支線流７１内の流れを勢い付けるようにしてもよい。また、幹線流７０の影響の少ない支線流７１の中途から幹線流７０の少し下流側へ導き出す中途導出管８４を配備してもよい。
【００２４】  図１２の実施形態は、河川８７の堤防８８付近において、河川外の低地８９に洪水などにより水が多量に溜まる現象はよくあることであるが、そうした場合になされるポンプアップ手段ではポンプ故障などにより想定した結果が得られないことが多く、その対策として、河川８７と低地８９間をチェックバルブ９０付きの導出バイパス管９１で結び、河川８７内に臨む負圧吸引部９２により抜き出すようにしたものである。この負圧吸引部９２は河川の側面に配備してもよい。
【００２５】  図１３の実施形態は、精神的に落ち込み勝ちな人等を対象にして少しでも精神的に明るく安定した状態とすべくなされた提案で、ここでは、湯呑９４の表面に、剥離フィルム９５つきのセラミックシール９６に例えば、「元気」のような文字を付したものを粘着貼付して時々それを見ることにより精神的に明るく安定した状態を得ることができるようにしたものである。尚、図の湯呑９４の右側に示すように、湯呑作製時に「元気」の文字を刻設しておき、それを買った人が溝に添って「元気」の文字を絵取るように埋め込んでゆき、焼き付けて仕上げてもらうようにしてもよい。
【図面の簡単な説明】
【００２６】
【図１】  本発明のワイシャツについての一実施形態を示す正面図。
【図２】  他の実施形態を示す斜視図。
【図３】  保管用コンテナについての実施形態を示す斜視図。
【図４】  他のコンテナの実施形態を示す側面図。
【図５】  他のコンテナについての実施形態を示す斜視図。
【図６】  図５のコンテナの使用状態図。
【図７】  他の実施形態を示す斜視図。
【図８】  他の実施形態を示す側面図。
【図９】  他の実施形態を示す側面図。
【図１０】  幹線流への支線流からの河川水の誘導方法を示す平面図。
【図１１】  他の実施形態を示す平面図。
【図１２】  他の実施形態を示す横断面図。
【図１３】  他の実施形態を示す斜視図。
【符号の説明】
【００２７】  １    前身頃
２    ボタン
３    ボタンホール
５    ネクタイ意匠
６    通気口
１５  浮かせ片
【図１】
2006009223.tif 000003
【図２】
2006009223.tif 000004
【図３】
2006009223.tif 000005
【図４】
2006009223.tif 000006
【図５】
2006009223.tif 000007
【図６】
2006009223.tif 000008
【図７】
2006009223.tif 000009
【図８】
2006009223.tif 000010
【図９】
2006009223.tif 000011
【図１０】
2006009223.tif 000012
【図１１】
2006009223.tif 000013
【図１２】
2006009223.tif 000014
【図１３】
2006009223.tif 000015